(57)【要約】【課題】安全かつ簡単に低コストで針基と針管とを分離解体でき、かつ引き抜いた針管同士を一まとまりの針管群として取り扱い易い注射針処理器を提供する。【解決手段】針引き抜き手段３０の作動により、本体保持部２５に保持したまま針基１３から針管１４を引き抜く。このとき、１対の平歯車２１の歯間で針管１４が挟み込まれ、針管１４を波形にプレスする。これにより、安全かつ簡単に、しかも低コストで針基１３と針管１４とを分離解体できる。しかも、針管１４を波形にプレスするので、引き抜かれた複数の針管１４同士が絡まり易く、これらを一まとまりの針管群として取り扱い易くなる。【選択図】図１
2007151811.tif 000002
【特許請求の範囲】
【請求項１】
注射器のシリンジの液吐出口に外挿されるキャップ形状の針基から針管を引き抜く注射針処理器において、
前記針基を保持する本体保持部と、
該本体保持部に保持された針基から針管を引き抜く針引き抜き手段とを備え、
前記針引き抜き手段は、前記針管を歯間で挟み込むことにより、前記針管を波形にプレスする１対の歯車を有することを特徴とする注射針処理器。
【請求項２】
前記本体保持部は、前記針基が一端側の開口部を通して抜き差し自在で、かつ他端側の開口部が針導出口となった本体保持ガイド孔を有することを特徴とする請求項１に記載の注射針処理器。
【請求項３】
前記針引き抜き手段は、前記歯車を手動により回転させるハンドルを有することを特徴とする請求項１または請求項２に記載の注射針処理器。
【請求項４】
前記針引き抜き手段の近傍には、引き抜かれた前記針管を回収する針回収容器の載置ステージが設置され、
前記針引き抜き手段は、前記引き抜かれた針管を直接前記針回収容器へ導くとともに外ねじが形成されたねじ管軸と、前記外ねじに螺合する内ねじを介して前記ねじ管軸に螺合され、前記針回収容器の開口部を密閉可能な蓋体とを有する回収容器固定ジャッキを備えることを特徴とする請求項１〜請求項３のうち、いずれか１項に記載の注射針処理器。
【発明の詳細な説明】
【技術分野】
【０００１】
この発明は注射針処理器、詳しくは、注射器のシリンジの液吐出口に外挿されるキャップ型本体から針管を引き抜く注射針処理器に関する。
【背景技術】
【０００２】
従来の注射針処理器として、例えば特許文献１が知られている。特許文献１は、注射器本体（シリンジ）から樹脂性の針基と金属製の針先（針管）よりなる注射針を分離回収する注射針処理装置において、注射器本体から針先を分離する針先分離手段と、針先分離手段によって分離された針先を回収する針先収納箱と、注射器本体から針基を分離する針基分離手段と、針基分離手段によって分離された針基を回収する針基収納箱とを有したものである。
特許文献１によれば、針先分離手段により分離された金属製の針先は、針先収納箱に回収されて金属材料のリサイクルに供することができる。また、針基分離手段により分離された樹脂製の針基は、針基回収箱に回収され、樹脂材料のリサイクルに供することができる。
【特許文献１】特開平１０−９９３８６号公報
【発明の開示】
【発明が解決しようとする課題】
【０００３】
しかしながら、特許文献１の注射針処理器において、針先分離手段は針基から針先を引き抜く際、針先を何ら変形させることなく、直線状態のまま引き抜いていた。そのため、針先は針基がない分だけ、縫い針と同じ程度に取り扱いがし難くかった。しかも、針先の先端は針先を取り扱う手などに、未だ刺さり易い角度が維持されており、安全性に問題があった。
また、針先が直線状態のままであるので、針先収納箱に回収された多数本の針先がまとまり難く、別の容器に移す際などに針先が飛散したり、箱内に取り残す頻度が高かった。
【０００４】
この発明は、安全かつ簡単に低コストで針基と針管とを分離解体することができ、しかも引き抜かれた複数の針管同士を一まとまりの針管群として取り扱い易い注射針処理器を提供することを目的としている。
また、この発明は、針基と針管との解体時における注射針の安定性を高めることができる注射針処理器を提供することを目的としている。
この発明は、手動での使用が可能で、発展途上国といった電力供給に問題がある場所での使用に有利な注射針処理器を提供することを目的としている。
この発明は、引き抜いた直後の針管を、そのまま針回収容器に安全に回収することができる注射針処理器を提供することを目的としている。
【課題を解決するための手段】
【０００５】
請求項１に記載の発明は、注射器のシリンジの液吐出口に外挿されるキャップ形状の針基から針管を引き抜く注射針処理器であって、前記針基を保持する本体保持部と、該本体保持部に保持された針基から針管を引き抜く針引き抜き手段とを備え、前記針引き抜き手段は、前記針管を歯間で挟み込むことにより、前記針管を波形にプレスする１対の歯車を有することを特徴とする注射針処理器である。
【０００６】
請求項１に記載の発明によれば、針引き抜き手段の作動により、本体保持部に保持したまま針基から針管を引き抜く。このとき、１対の歯車の歯間で針管が挟み込まれ、針管を波形にプレスする。これにより、安全かつ簡単に、しかも低コストで針基と針管とを分離解体することができる。しかも、針管を波形にプレスするので、引き抜かれた複数の針管同士が絡まり易く、これらを一まとまりの針管群として取り扱い易くなる。
【０００７】
注射器の種類は限定されない。シリンジの大きさ（太さ）も限定されない。
針基の素材としては、合成樹脂などである。
本体保持部の素材、形状および大きさは、針基を保持可能であれば限定されない。針基の保持形態は、針基を両側から挟持（クランプ）してもよいし、針基を収納可能な孔部を形成し、そこに針基を収納することで保持してもよい。
針引き抜き手段の構造は、針管を歯間で挟み込むことで、針管の管路を押し潰しながら針管を波形にプレス可能な１対の歯車を有していればよい。
歯車は、平歯車が好ましいものの、傘歯車、ハスバ歯車、ヤマバ歯車、マガリバ傘歯車、ウォームギヤなどを採用することができる。
歯車は、針引き抜き手段に１対配置してもよいし、２対以上配置してもよい。
針引き抜き手段は、手動式でもよいし、電動式でもよい。
針引き抜き手段は、一方の歯車を自動で回転させる回転モータを有するものでもよい。
【０００８】
請求項２に記載の発明は、前記本体保持部は、前記針基が一端側の開口部を通して抜き差し自在で、かつ他端側の開口部が針導出口となった本体保持ガイド孔を有することを特徴とする請求項１に記載の注射針処理器である。
【０００９】
請求項２に記載の発明によれば、針基を本体保持部の本体保持ガイド孔に通し、その他端の針導出口から針管をその処理のために突出させる。このように、針基を本体保持ガイド孔に通して保持するので、針基と針管との解体時における注射針の安定性を高めることができる。
【００１０】
請求項３に記載の発明は、前記針引き抜き手段は、前記歯車を手動により回転させるハンドルを有することを特徴とする請求項１または請求項２に記載の注射針処理器である。
【００１１】
請求項３に記載の発明によれば、針引き抜き手段は、歯車を手動により回転させるハンドルを有しているので、手動により使用することができる。
【００１２】
請求項４に記載の発明は、前記針引き抜き手段の近傍には、引き抜かれた前記針管を回収する針回収容器の載置ステージが設置され、前記針引き抜き手段は、前記引き抜かれた針管を直接前記針回収容器へ導くとともに外ねじが形成されたねじ管軸と、前記外ねじに螺合する内ねじを介して前記ねじ管軸に螺合され、前記針回収容器の開口部を密閉可能な蓋体とを有する回収容器固定ジャッキを備えることを特徴とする請求項１〜請求項３のうち、いずれか１項に記載の注射針処理器である。
【００１３】
請求項４に記載の発明によれば、載置ステージに載置された針回収容器の開口部を回収容器固定ジャッキの蓋体により押圧して蓋止めし、この状態を保持して、針引き抜き手段により引き抜かれた針管をねじ管軸の通路から針回収容器へ直接導くので、引き抜いた直後の針管を、そのまま針回収容器に安全に回収することができる。
【００１４】
回収容器固定ジャッキとは、針回収容器の開口部に蓋体を押圧して固定することができる手動式または電動式のジャッキである。引き抜かれた針管は、蓋体により開口部が密閉された針回収容器内へねじ管軸の通路を通して、針管が外部に飛び出さないように、その外部への露出が最小限に抑えられている。
【発明の効果】
【００１５】
請求項１に記載の発明によれば、針引き抜き手段の作動により、本体保持部に保持したまま針基から針管を引き抜く。このとき、１対の歯車の歯間で針管が挟み込まれ、針管を波形にプレスする。これにより、安全かつ簡単に、しかも低コストで針基と針管とを分離解体することができる。しかも、針管を波形にプレスするので、引き抜かれた複数の針管同士が絡まり易く、これらを一まとまりの針管群として取り扱い易くなる。
【００１６】
特に、請求項２に記載の発明によれば、本体保持部は、針基が一端側の開口部を通して抜き差し自在で、かつ他端側の開口部が針導出口となった本体保持ガイド孔を有しているので、針基と針管との解体時における注射針の安定性を高めることができる。
【００１７】
請求項３に記載の発明によれば、針引き抜き手段は、歯車を手動により回転させるハンドルを有しているので、手動により使用することができる。
【００１８】
請求項４に記載の発明によれば、載置ステージに載置された針回収容器の開口部を回収容器固定ジャッキにより蓋体により押圧して固定し、この状態を保持して、針引き抜き手段により引き抜かれた針管をねじ管軸の通路から針回収容器へ直接導くので、引き抜いた直後の針管を、外部に漏らすことなく、そのまま針回収容器に安全に回収することができる。
【発明を実施するための最良の形態】
【００１９】
以下、この発明の実施例を具体的に説明する。
【実施例１】
【００２０】
図１〜図３において、１０はこの発明の実施例１に係る注射針処理器で、この注射針処理器１０は、注射器１１のシリンジ１２の液吐出口１２ａに外挿されるキャップ形状の針基１３から針管１４を引き抜く装置である。
以下、この注射針処理器１０を詳細に説明する。
注射針処理器１０は、平面視して矩形状を有するとともに、上側が、引き抜かれた針管１４を回収する針回収容器１５が載置される載置ステージＳとなったベース板１６を有している。ベース板１６の各隅部の下側には、ベース板１６の長さ方向の一端部の一隅部を除き、それぞれゴム脚１７が固着されている。残った一隅部の下側には、平面視してベース板１６から旋回自在に出し入れされるアウトリガ１８の元部が取り付けられている。アウトリガ１８の先端部の下側にも、ゴム脚１７が固着されている。
【００２１】
ベース板１６の長さ方向の一端部には、ベース板１６の幅方向の両端部上に１対の支柱１９が、互いに平行状態で立設されている。両支柱１９の上端部間には、ベース板１６の幅方向に長い矩形箱形状のギヤボックス２０が横架されている。ギヤボックス２０の長さ方向の両側部内には、各軸線方向をギヤボックス２０の幅方向に向け、かつ互いに噛合した１対の平歯車（歯車）２１が軸支されている。一方の平歯車２１の回転軸２１ａは、ベース板１６の一端より外方向に突出している。この突出部にはハンドルアーム２２の元部が固定されている。ハンドルアーム２２の先端部には、グリップ２３が軸支されている。
【００２２】
ギヤボックス２０の上板には、その長さ方向の中間部に、針基１３が収納可能な本体保持ガイド孔２４Ａを有した環状の本体保持部２５が固定されている。本体保持ガイド孔２４Ａは、その軸線方向が垂直な孔で、その針導出口２４ａが本体保持部２５の上端に形成され、その針導出口２４ａが両平歯車２１の噛合部分の直上に配置されている。そのため、針管１４は本体保持ガイド孔２４Ａ内を自重落下し、その後、すり鉢形状の孔下部にガイドされて両平歯車２１間に導入される。
【００２３】
ギヤボックス２０の下板には、その長さ方向の中間部に、回収容器固定ジャッキ２６が設けられている。回収容器固定ジャッキ２６は、引き抜かれた針管１４を針回収容器１５へ直接導くとともに外ねじが形成されたねじ管軸２７と、外ねじに螺合する内ねじを介してねじ管軸２７に螺合され、しかも針回収容器１５の開口部を密閉可能なナット式の蓋体２８とを有している。ねじ管軸２７は軸線方向が垂直な管形状の軸体で、その上端部がギヤボックス２０の下板の長さ方向の中間部に固着されている。ねじ管軸２７の針導入口は、両平歯車２１の噛合部分の直下に配置されている。また、ねじ管軸２７の針導出口は、下方を向いている。
本体保持部２５に保持された針基１３から針管１４を引き抜く針引き抜き手段３０は、ギヤボックス２０、１対の平歯車２１、ハンドルアーム２２、グリップ２３および回収容器固定ジャッキ２６を有している。
【００２４】
次に、この発明の実施例１に係る注射針処理器１０の使用方法を説明する。
図１〜図３に示すように、まず、アウトリガ１８を旋回してベース板１６から外方に張り出すとともに、載置ステージＳに針回収容器１５を載置する。次いで、蓋体２８を、これが針回収容器１５の方向（下方向）へ移動するように回転させ、針回収容器１５の開口部をこの蓋体２８により押圧して蓋止めする。
それから、針基１３を本体保持部２５の本体保持ガイド孔２４Ａに通す。これにより、針管１４は本体保持ガイド孔２４Ａ内を自重落下し、すり鉢形状の孔下部にガイドされて針導出口２４ａから両平歯車２１間に導入される。このように、針基１３を本体保持ガイド孔２４Ａに通して保持するので、針基１３と針管１４との解体時における注射針（注射器１１）の安定性を高めることができる。
【００２５】
その後、グリップ２３を握ってハンドルアーム２２を回転させると、両平歯車２１が回転し、本体保持部２５に保持された状態で針基１３から針管１４が引き抜かれる。このとき、１対の平歯車２１の歯間で針管１４が挟み込まれ、針管１４の管路を押し潰しながら針管１４が波形にプレスされる。その結果、安全かつ簡単に、しかも低コストで針基１３と針管１４とを分離解体することができる。しかも、針管１４を波形にプレスするので、引き抜かれた複数の針管１４同士が絡まり易なる。その結果、これらを一まとまりの針管群として取り扱い易くなる。また、平歯車２１を手動により回転させるハンドルを有しているので、手動により注射針処理器１０を使用することができる。
引き抜かれた針管１４は、ねじ管軸２７の通路から針回収容器１５へ直接導入される。これにより、引き抜き直後の針管１４を、そのまま針回収容器１５に安全に回収することができる。
【図面の簡単な説明】
【００２６】
【図１】この発明の実施例１に係る注射針処理器の縦断面図である。
【図２】この発明の実施例１に係る注射針処理器の側面図である。
【図３】この発明の実施例１に係る注射針処理器の平面図である。
【符号の説明】
【００２７】
１０  注射針処理器
１１  注射器
１２  シリンジ
１２ａ  液吐出口
１３  針基
１４  針管
１５  針回収容器
１６  ベース板
１７  ゴム脚
１８  アウトリガ
１９  支柱
２０  ギヤボックス
２１  平歯車（歯車）
２２  ハンドルアーム（ハンドル）
２３  グリップ（ハンドル）
２４Ａ  本体保持ガイド孔
２５  本体保持部
２６  回収容器固定ジャッキ
２７  ねじ管軸
２８  蓋体
３０  針引き抜き手段
Ｓ  載置ステージ
【図１】
2007151811.tif 000003
【図２】
2007151811.tif 000004
【図３】
2007151811.tif 000005
【手続補正書】
【提出日】平成17年12月6日(2005.12.6)
【手続補正１】
【補正対象書類名】図面
【補正対象項目名】全図
【補正方法】変更
【補正の内容】
【図１】
2007151811.tif 000006
【図２】
2007151811.tif 000007
【図３】
2007151811.tif 000008